(57)【要約】【課題】装飾の自由度を高めた画像形成装置を提供することを目的とする。【解決手段】画像形成装置１は、透明または半透明の外側カバー１０８Ａと、外側カバー１０８Ａより内側に着脱自在に装着される装飾体１０８と、装飾体１０８より内側に設けられる内側カバー１０８Ｂを備え、外側カバー１０８Ａと内側カバー１０８Ｂの間に、外側カバー１０８Ａと内側カバー１０８Ｂの間に形成される空間に対して、装飾体１０８を着脱可能な隙間１０８Ｄが形成されることを特徴とする。【選択図】図２
2019207388.tif 000002
【特許請求の範囲】
【請求項１】
透明または半透明の外側カバーと、前記外側カバーより内側に着脱自在に装着される装飾体とを備えたことを特徴とする画像形成装置。
【請求項２】
前記装飾体より内側に内側カバーを備えたことを特徴とする請求項１記載の画像形成装置。
【請求項３】
前記外側カバーは、前記内側カバーに取り付けられていることを特徴とする請求項２記載の画像形成装置。
【請求項４】
前記外側カバーと前記内側カバーの間に、前記装飾体を保持する保持部を有することを特徴とする請求項３記載の画像形成装置。
【請求項５】
前記保持部に、前記外側カバーと前記内側カバーが接触しない非接触部を設けたことを特徴とする請求項４記載の画像形成装置。
【請求項６】
前記非接触部を複数設けたことを特徴とする請求項５記載の画像形成装置。
【請求項７】
前記外側カバーと前記内側カバーの間に、前記外側カバーと前記内側カバーの間に形成される空間に対して、前記装飾体を着脱可能な隙間が形成されることを特徴とする請求項４〜６の何れか記載の画像形成装置。
【請求項８】
前記隙間は上に形成されることを特徴とする請求項７記載の画像形成装置。
【請求項９】
前記内側カバーおよび前記外側カバーは、画像形成装置本体に対して前面側に移動可能であることを特徴とする請求項８記載の画像形成装置。
【請求項１０】
前記装飾体は、画像形成装置により表面に画像が形成されて出力されたシートであることを特徴とする請求項１〜９の何れか記載の画像形成装置。
【請求項１１】
前記外側カバー及び前記内側カバーは互いに直交する２つの平面部を有し、前記装飾体は前記外側カバー及び前記内側カバーの形状に応じて変形可能であることを特徴とする請求項１〜１０の何れか記載の画像形成装置。
【請求項１２】
前記外側カバーは曲面部を有し、前記装飾体は前記外側カバー及び前記内側カバーの形状に応じて変形可能であることを特徴とする請求項１〜１１の何れか記載の画像形成装置。
【発明の詳細な説明】
【技術分野】
【０００１】
本発明は、画像形成装置に関する。
【背景技術】
【０００２】
特許文献１には、補強リブと外側カバー装着部と取手部を有する内側カバーと、外側カバー装着部に装着される被装着部を有し、取手部を露出させる形状に形成された外側カバーとを備えた画像形成装置が記載されている。
【発明の概要】
【発明が解決しようとする課題】
【０００３】
本発明は、装飾の自由度を高めた画像形成装置を提供することを目的とする。
【課題を解決するための手段】
【０００４】
本発明は、透明または半透明の外側カバーと、前記外側カバーより内側に着脱自在に装着される装飾体とを備えたことを特徴とする画像形成装置である。
【発明の効果】
【０００５】
本発明は、装飾の自由度を高めた画像形成装置を提供することができる。
【図面の簡単な説明】
【０００６】
【図１】本発明の一実施形態である画像形成装置１の斜視図である。
【図２】図１に示した装飾体１０８を含む正面図（ａ）および断面図（ｂ）である。
【図３】図２に示した実施形態の変形例である。
【図４】図２に示した実施形態の変形例である。
【図５】図１に示した実施形態の変形例である。
【図６】図５に示した実施形態の使用状態を示す図である。
【図７】図５に示した実施形態の変形例である。
【図８】図７に示した装飾体１０３を含む断面図である。
【図９】図８に示した実施形態の変形例である。
【図１０】図２に示した実施形態の変形例である。
【図１１】図１０に示した実施形態の変形例である。
【図１２】図１１に示した実施形態の使用状態を示す図である。
【図１３】図１１に示した実施形態の変形例である。
【図１４】図１３に示した実施形態の使用状態を示す図である。
【発明を実施するための形態】
【０００７】
以下、図面を参照して、本発明の実施形態を詳細に説明する。
【０００８】
図１は、本発明の一実施形態である画像形成装置１の斜視図である。画像形成装置１は、原稿の画像を読取るスキャナ２と、原稿を搬送して搬送された原稿の画像を読み取る自動原稿搬送装置３と、画像形成装置１への操作入力を受け付ける操作部４と、画像形成されたシートが排紙される排紙部５と、原稿やシート等を載せるための載置部６と、シートに画像を形成する画像形成部７と、画像形成部７にて生じたシートのジャムを処理するためのジャム処理部８と、各々画像形成部７に搬送されるシートを積載するシートトレイ９Ａ、９Ｂ、９Ｃと、画像形成部１の下部に形成される開口部１０と、画像形成装置１の画像形成動作を制御するコントローラ等や電源などを備えた電装基板などに代表される電装部品を収納する電装収納部１１を備える。シートトレイ９Ａ、９Ｂ、９Ｃは、各々、シートトレイ９Ａ、９Ｂ、９Ｃを引き出すための取っ手９０Ａ、９０Ｂ、９０Ｃを備える。
【０００９】
画像形成装置１は、さらに、ジャム処理部８の表面に、外観を装飾する装飾体１０８を備えている。装飾体１０８は、画像形成装置１により表面に画像が形成されて出力されたシートであり、これにより、装飾体１０８を容易に形成することができる。この場合、装飾体の１０８のサイズはＡ３以下が望ましい。また、装飾体１０８は、画像形成装置１により画像が形成された装飾体でなくとも本発明に適用できることは言うまでもない
【００１０】
画像形成装置１は、周知の感光体、帯電手段、露光手段、現像手段、転写手段、定着手段、シート搬送手段を備えた電子写真装置、それもＹ、Ｍ、Ｃ、ＢＫトナーで画像を形成するフルカラー電子写真方式の画像形成装置であることが望ましい。また、インクジェットヘッドによるインクジェット方式の画像形成装置１であっても良い。
【００１１】
図２は、図１に示した装飾体１０８を含む正面図（ａ）および断面図（ｂ）である。画像形成装置１は、ジャム処理部８のカバーとして、装飾体１０８とともに、透明又は半透明の外側カバー１０８Ａと、外側カバー１０８Ａよりも内部に配置される内側カバー１０８Ｂを備える。外側カバー１０８Ａは、左側部、下部及び右側部に連続する凸形状の取り付け部１０８Ｃを有しており、取り付け部１０８Ｃを介して内側カバー１０８Ｂに対して接着して取り付けられている。
【００１２】
これにより、強度等の機能を内側カバーに持たせて、外側カバーの材質の選択肢を広げることができる。例えば、内側カバーを板金により形成し、外側カバーを樹脂により形成することができる。また、画像形成装置本体に対して内側カバー１０８Ｂを介して外側カバー１０８Ａを容易に取り付けることができる。
【００１３】
外側カバー１０８Ａの上部には、取り付け部１０８Ｃは備えられておらず、外側カバー１０８Ａと内側カバー１０８Ｂの間には隙間１０８Ｄが形成されている。これにより、装飾体１０８は、上向きの隙間１０８Ｄを介して上方から、外側カバー１０８Ａと内側カバー１０８Ｂの間に形成される空間に対して着脱可能である。これにより、外側カバー１０８Ａに対して装飾体１０８を容易に着脱することができる。
【００１４】
そして、外側カバー１０８Ａの取り付け部１０８Ｃは、取り付け部１０８Ｃが取り付けられる内側カバー１０８Ｂの部分と合わせて、左側、下側及び右側において装飾体１０８を保持する。これにより、外側カバー１０８Ａに対して装飾体１０８を容易に保持することができる。なお、本構成のように上向きの隙間１０８Ｄを介して上方から挿入できる構成であれば、装飾体１０８は自重で隙間１０８Ｄから取り付け部１０８Ｃまで落下し、装飾体１０８は外側カバー１０８Ａと内側カバー１０８Ｂの間で保持されることになる。
【００１５】
図３および図４は、図２に示した実施形態の変形例である。画像形成装置１のカバーとして、装飾体２０１〜２０４とともに、透明又は半透明の外側カバー２００Ａと、外側カバー２００Ａよりも内部に配置される内側カバー２００Ｂを備える。外側カバー２００Ａは、格子状に連続する凸形状の取り付け部２００Ｃを有しており、取り付け部２００Ｃを介して内側カバー２００Ｂに対して接着して取り付けられている。
【００１６】
外側カバー２００Ａの左部および右部には、取り付け部２００Ｃは備えられておらず、外側カバー２００Ａと内側カバー２００Ｂの間には隙間２０１Ｄ〜２０４Ｄが形成されている。装飾体２０１〜２０４は、隙間２０１Ｄ〜２０４Ｄを介して、外側カバー２００Ａと内側カバー２００Ｂの間に形成される空間に対して着脱可能である。そして、外側カバー２００Ａの取り付け部２００Ｃは、取り付け部２００Ｃが取り付けられる内側カバー２００Ｂの部分と合わせて、装飾体２０１〜２０４を保持する。
【００１７】
図５は、図１に示した実施形態の変形例である。画像形成装置１は、ジャム処理部８の表面の装飾体１０８だけでなく、画像形成部７、シートトレイ９Ａ、９Ｂ、９Ｃ、および電装収納部１１の表面に各々装飾体１０７、１０９Ａ、１０９Ｂ、１０９Ｃ、および１０９Ｄを備えている。画像形成装置１は、装飾体１０７、１０９Ａ、１０９Ｂ、１０９Ｃ、および１０９Ｄとともに、各々図２に示した外側カバー１０８Ａ及び内側カバー１０８Ｂと同様の外側カバー及び内側カバーを備えている。
【００１８】
図６は、図５に示した実施形態の使用状態を示す図である。シートトレイ９Ｃは、画像形成装置本体に対して前面側に引き出して移動可能であり、シートトレイ９Ｃとともに外側カバー１０８Ａ及び内側カバー１０８Ｂは、画像形成装置本体に対して前面側に移動可能である。ここで、前面は、ユーザが画像形成装置１を操作する際にユーザが対向する画像形成装置１の面であって、具体的には、図１に示した操作部４および取っ手９０Ａ等が設けられた面である。
【００１９】
この状態において、図２に示したように、装飾体１０８は、上に形成された隙間１０８Ｄを介して、外側カバー１０８Ａと内側カバー１０８Ｂの間に形成される空間に対して、シートトレイ９Ｃが閉じられた状態よりも容易に上方から着脱可能である。なお、画像形成部７等の内部を開放する開閉部を設けた場合、開閉部は、画像形成装置本体に対して前面側に開いて移動可能であり、開閉部とともに外側カバー及び内側カバーは、画像形成装置本体に対して前面側に移動可能である。この場合、装飾体１０７等は、上に形成された隙間を介して、外側カバーと内側カバーの間に形成される空間に対して、開閉部が閉じられた状態よりも容易に上方から着脱可能である。
【００２０】
図７は、図５に示した実施形態の変形例である。画像形成装置１は、自動原稿搬送装置３の右側部および上部の一部の表面に装飾体１０３を備える。
【００２１】
図８は、図７に示した装飾体１０３を含む断面図である。画像形成装置１は、自動原稿搬送装置３の右側部および上部の一部のカバーとして、装飾体１０３とともに、透明又は半透明の外側カバー１０３Ａと、外側カバー１０３Ａよりも内部に配置される内側カバー１０３Ｂを備える。外側カバー１０３Ａは、凸形状の取り付け部１０３Ｃを有しており、取り付け部１０３Ｃを介して内側カバー１０３Ｂに対して接着して取り付けられている。
【００２２】
外側カバー１０３Ａの左部には、取り付け部１０３Ｃは備えられておらず、外側カバー１０３Ａと内側カバー１０３Ｂの間には隙間１０３Ｄが形成されている。装飾体１０３は、隙間１０３Ｄを介して、外側カバー１０３Ａと内側カバー１０３Ｂの間に形成される空間に対して着脱可能である。そして、外側カバー１０３Ａの取り付け部１０３Ｃは、取り付け部１０３Ｃが取り付けられる内側カバー１０３Ｂの部分と合わせて、隙間１０３Ｄが形成されている部分を除いて装飾体１０３を保持する。
【００２３】
外側カバー１０３Ａ及び内側カバー１０３Ｂは、自動原稿搬送装置３の右側部および上部の一部に対応して互いに直交する２つの平面部１０３Ｒ及び１０３Ｕを有し、装飾体１０３は外側カバー１０３Ａ及び内側カバー１０３Ｂの形状に応じて変形可能である。これにより、画像形成装置１の外装形状が互いに直交する２つの平面部を有する場合でも、この２つの平面部を装飾することができる。
【００２４】
図９は、図８に示した実施形態の変形例である。画像形成装置１は、図７に示した自動原稿搬送装置３の右側部および上部の一部のカバーとして、装飾体１０３に代えて装飾体１３０を備えるとともに、透明又は半透明の外側カバー１３０Ａと、外側カバー１３０Ａよりも内部に配置される内側カバー１０３Ｂを備える。外側カバー１３０Ａは、凸形状の取り付け部１３０Ｃを有しており、取り付け部１３０Ｃを介して内側カバー１３０Ｂに対して接着して取り付けられている。
【００２５】
外側カバー１３０Ａの左部には、取り付け部１３０Ｃは備えられておらず、外側カバー１３０Ａと内側カバー１３０Ｂの間には隙間１３０Ｄが形成されている。装飾体１３０は、隙間１３０Ｄを介して、外側カバー１３０Ａと内側カバー１３０Ｂの間に形成される空間に対して着脱可能である。そして、外側カバー１３０Ａの取り付け部１３０Ｃは、取り付け部１３０Ｃが取り付けられる内側カバー１３０Ｂの部分と合わせて、隙間１３０Ｄが形成されている部分を除いて装飾体１３０を保持する。
【００２６】
外側カバー１３０Ａ及び内側カバー１３０Ｂは、自動原稿搬送装置３の右側部および上部の一部に対応して曲面部１３０Ｒを有し、装飾体１３０は外側カバー１３０Ａ及び内側カバー１３０Ｂの形状に応じて変形可能である。これにより、画像形成装置１の外装形状が曲面部を有する場合でも、この曲面部を装飾することができる。
【００２７】
図１０は、図２に示した実施形態の変形例である。
【００２８】
外側カバー１０８Ａは、左側部、下部及び右側部に連続する凸形状の取り付け部１０８Ｃを介して内側カバー１０８Ｂに対して接着して取り付けられているが、取り付け部１０８Ｃは、図の下部において、外側カバー１０８Ａが内側カバー１０８Ｂに接触していない非接触部１０８Ｅと、外側カバー１０８Ａが内側カバー１０８Ｂに接触している接触部１０８Ｆを含む。
【００２９】
非接触部１０８Ｅは、取り付け部１０８Ｃを切り欠いて形成されており、装飾体１０８を挿入する方向と反対方向に配置されている。
【００３０】
外側カバー１０８Ａの取り付け部１０８Ｃは、取り付け部１０８Ｃが取り付けられる内側カバー１０８Ｂの部分と合わせて、左側、下側及び右側において装飾体１０８を保持する保持部を構成しており、非接触部１０８Ｅは保持部に設けられているとも言える。
【００３１】
これにより、装飾体１０８が外側カバー１０８Ａと内側カバー１０８Ｂの間に形成される空間に装着された状態で、非接触部１０８Ｅから治具等を差し入れることにより、装飾体１０８を隙間１０８Ｄから上方に押し出して、外側カバー１０８Ａと内側カバー１０８Ｂの間に形成される空間から取り出すことができる。
【００３２】
図１１は、図１０に示した実施形態の変形例である。
【００３３】
外側カバー１０８Ａは、上部、右側部および下部に連続する凸形状の取り付け部１０８Ｃを介して内側カバー１０８Ｂに対して接着して取り付けられているが、取り付け部１０８Ｃは、図の右側部において、外側カバー１０８Ａが内側カバー１０８Ｂに接触していない非接触部１０８Ｅと、外側カバー１０８Ａが内側カバー１０８Ｂに接触している接触部１０８Ｆを含む。
【００３４】
非接触部１０８Ｅは、取り付け部１０８Ｃを切り欠いて形成されており、装飾体１０８を挿入する方向と反対方向に配置されている。
【００３５】
外側カバー１０８Ａの取り付け部１０８Ｃは、取り付け部１０８Ｃが取り付けられる内側カバー１０８Ｂの部分と合わせて、上部、右側部および下部において装飾体１０８を保持する保持部を構成しており、非接触部１０８Ｅは保持部に設けられているとも言える。
【００３６】
これにより、装飾体１０８が外側カバー１０８Ａと内側カバー１０８Ｂの間に形成される空間に装着された状態で、非接触部１０８Ｅから治具等を差し入れることにより、装飾体１０８を隙間１０８Ｄから左側に押し出して、外側カバー１０８Ａと内側カバー１０８Ｂの間に形成される空間から取り出すことができる。
【００３７】
図１２は、図１１に示した実施形態の使用状態を示す図であり、装飾体１０８が外側カバー１０８Ａと内側カバー１０８Ｂの間に形成される空間に装着された状態を示す。
【００３８】
この状態で、図の矢印の方向から非接触部１０８Ｅに治具等を差し入れることにより、装飾体１０８を隙間１０８Ｄから左側に押し出して、外側カバー１０８Ａと内側カバー１０８Ｂの間に形成される空間から取り出すことができる。
【００３９】
図１３は、図１１に示した実施形態の変形例である。
【００４０】
外側カバー１０８Ａは、上部、右側部および下部に連続する凸形状の取り付け部１０８Ｃを介して内側カバー１０８Ｂに対して接着して取り付けられているが、取り付け部１０８Ｃは、図の右側部において、外側カバー１０８Ａが内側カバー１０８Ｂに接触していない複数の非接触部１０８Ｅと、外側カバー１０８Ａが内側カバー１０８Ｂに接触している接触部１０８Ｆを含む。
【００４１】
複数の非接触部１０８Ｅは、取り付け部１０８Ｃを切り欠いて形成されており、装飾体１０８を挿入する方向と反対方向に配置されている。
【００４２】
外側カバー１０８Ａの取り付け部１０８Ｃは、取り付け部１０８Ｃが取り付けられる内側カバー１０８Ｂの部分と合わせて、上部、右側部および下部において装飾体１０８を保持する保持部を構成しており、複数の非接触部１０８Ｅは保持部に設けられているとも言える。
【００４３】
これにより、装飾体１０８が外側カバー１０８Ａと内側カバー１０８Ｂの間に形成される空間に装着された状態で、複数の非接触部１０８Ｅの１つまたは複数から治具等を差し入れることにより、装飾体１０８を隙間１０８Ｄから左側に押し出して、外側カバー１０８Ａと内側カバー１０８Ｂの間に形成される空間から容易に取り出すことができる。
【００４４】
図１４は、図１３に示した実施形態の使用状態を示す図であり、装飾体１０８が外側カバー１０８Ａと内側カバー１０８Ｂの間に形成される空間に装着された状態を示す。
【００４５】
この状態で、図の矢印の方向から複数の非接触部１０８Ｅの１つまたは複数に治具等を差し入れることにより、装飾体１０８を隙間１０８Ｄから左側に押し出して、外側カバー１０８Ａと内側カバー１０８Ｂの間に形成される空間から容易に取り出すことができる。
【符号の説明】
【００４６】
１        画像形成装置
１０８    装飾体
１０８Ａ  外側カバー
１０８Ｂ  内側カバー
１０８Ｄ  隙間
１０８Ｅ  非接触部
１０８Ｆ  接触部
【先行技術文献】
【特許文献】
【００４７】
【特許文献１】特許第４６７４４５１号公報
【図１】
2019207388.tif 000003
【図２】
2019207388.tif 000004
【図３】
2019207388.tif 000005
【図４】
2019207388.tif 000006
【図５】
2019207388.tif 000007
【図６】
2019207388.tif 000008
【図７】
2019207388.tif 000009
【図８】
2019207388.tif 000010
【図９】
2019207388.tif 000011
【図１０】
2019207388.tif 000012
【図１１】
2019207388.tif 000013
【図１２】
2019207388.tif 000014
【図１３】
2019207388.tif 000015
【図１４】
2019207388.tif 000016